(57)【要約】【課題】本発明は、装置を大型化することなく、装置から光源を交換するサイクルをより長くすることができ、高い位置精度の機構が不要な投写型表示装置を提供する。【解決手段】本発明は、光源ユニット１０と、映像生成部４と、投写部とを備える投写型映像表示装置１００である。光源ユニット１０は、光源保持部１０ｂに複数の光源１０ａを保持する。映像生成部４は、光源ユニット１０から出射した光を透過または反射させて変調し、映像を生成する。投写部は、映像生成部４で生成した映像を投写面に投写レンズ３を介して投写する。光源保持部１０ｂは、形状が円筒形で、円筒形の円周方向に対して回転可能に保持され、それぞれの光源１０ａは、光源保持部１０ｂの中心軸から等距離で、かつそれぞれの光軸１０ｄが中心軸１０ｃに平行となるように光源保持部１０ｂに保持されている。【選択図】図３
2013068871.tif 000002
【特許請求の範囲】
【請求項１】
映像を投写面に投写する投写型映像表示装置であって、
光源保持部に複数の光源を保持した光源ユニットと、
前記光源ユニットから出射した光を透過または反射させて変調し、映像を生成する映像生成部と、
前記映像生成部で生成した前記映像を前記投写面にレンズを介して投写する投写部と
を備え、
前記光源保持部は、形状が円筒形で、前記円筒形の円周方向に対して回転可能に保持され、
それぞれの前記光源は、前記光源保持部の中心軸から等距離で、かつそれぞれの光軸が前記中心軸に平行となるように前記光源保持部に保持されている、投写型映像表示装置。
【請求項２】
前記光源ユニットから出射した光量を測定する光測定部をさらに備え、
前記光源ユニットは、前記光測定部で測定した光量が、予め定めた閾値以下となった場合に、前記光源保持部を円周方向に回転させて点灯する前記光源を切替える、請求項１に記載の投写型映像表示装置。
【請求項３】
前記光源ユニットは、前記投写型映像表示装置の筐体から取外し可能である、請求項１または請求項２に記載の投写型映像表示装置。
【請求項４】
前記光源ユニットの１つの前記光源の光軸が、前記映像生成部に入射する光の光軸と一致するように前記光源ユニットを配置してある、請求項１〜請求項３のいずれか一項に記載の投写型映像表示装置。
【請求項５】
前記光源保持部の前記中心軸が、前記映像生成部に入射する光の光軸と一致するように前記光源ユニットを配置してあり、
複数の前記光源のうち少なくとも１つ前記光源から、前記光源保持部の前記中心軸の方向に光を導く光学手段をさらに備える、請求項１〜請求項３のいずれか一項に記載の投写型映像表示装置。
【発明の詳細な説明】
【技術分野】
【０００１】
本発明は、映像を投写面に投写する投写型映像表示装置に関する。
【背景技術】
【０００２】
投写型表示装置は、光源から出射した光を液晶パネルなどの光変調素子で透過または反射させて映像を生成し、生成した映像を投写面であるスクリーンに投写して表示している。そのため、投写型表示装置には、光源が必ず必要となり、ランプ光源や、ＬＥＤ（Light  Emitting  Diode）光源などが切れると、映像を表示することができない致命的な故障となる。
【０００３】
そこで、点灯している光源が切れた場合でも、予備の光源に切替えて映像を継続して表示することができるように、予備の光源と、光源からの光を切替えるミラーとを設けた投写型表示装置が提案されている。
【０００４】
また、特許文献１に開示してある投写型表示装置では、円筒形のランプカートリッジを備え、このランプカートリッジの径方向に光軸が一致するように複数の光源を保持してある。そのため、特許文献１に開示してある投写型表示装置は、点灯している光源が切れた場合、ランプカートリッジを回転させることで新しい光源に切替えて映像を継続して表示することができる。
【先行技術文献】
【特許文献】
【０００５】
【特許文献１】特開２００５−１２１９４８号公報
【発明の概要】
【発明が解決しようとする課題】
【０００６】
しかし、予備の光源と、光源からの光を切替えるミラーとを設けた投写型表示装置では、予備の光源も切れた場合、映像を表示することができない致命的な故障となり、光源を交換する作業が必要となる。特に、大型の投写型表示装置や天井に取付けてある投写型表示装置では、光源を交換する作業の負担が大きいため、光源を交換するサイクルの長い装置が望まれている。
【０００７】
また、予備の光源を増やした場合、増やした光源の数だけ切替えるミラーが必要となり投写型表示装置が大型化する。
【０００８】
さらに、特許文献１に開示してある投写型表示装置では、それぞれの光源の光軸がランプカートリッジの径方向を向いているので、点灯している光源の光軸以外、液晶パネルに入射する光の光軸と平行ではない。そのため、特許文献１に開示してある投写型表示装置では、新しい光源に切替える場合、光源の光軸と、液晶パネルに入射する光の光軸とが平行になるようにランプカートリッジを移動させる高い位置精度の機構が必要となる。
【０００９】
それゆえに、本発明は、上記問題点を解決するためになされたものであり、装置を大型化することなく、装置から光源を交換するサイクルをより長くすることができ、高い位置精度の機構が不要な投写型表示装置を提供することを目的とする。
【課題を解決するための手段】
【００１０】
本発明のある局面に従う投写型映像表示装置は、光源保持部に複数の光源を保持した光源ユニットと、光源ユニットから出射した光を透過または反射させて変調し、映像を生成する映像生成部と、映像生成部で生成した映像を投写面にレンズを介して投写する投写部とを備え、光源保持部は、形状が円筒形で、円筒形の円周方向に対して回転可能に保持され、それぞれの光源は、光源保持部の中心軸から等距離で、かつそれぞれの光軸が中心軸に平行となるように光源保持部に保持されている。
【００１１】
本発明のある局面に従う投写型映像表示装置では、円筒形の光源保持部が円周方向に対して回転可能に保持されているので、装置を大型化することなく複数の光源を切替えることでき、装置から光源を交換するサイクルをより長くすることができる。また、それぞれの光源の光軸が光源保持部の中心軸に対して平行であるので、光源保持部の中心軸を映像生成部に入射する光の光軸に対して平行にするだけで、すべての光源の光軸と、映像生成部に入射する光の光軸とを平行にすることができる。そのため、光源保持部は、光軸に対して垂直の面内で光源を移動させることができればよく、高い位置精度の機構が不要となる。
【００１２】
好ましくは、光源ユニットから出射した光量を測定する光測定部をさらに備え、光源ユニットは、光測定部で測定した光量が、予め定めた閾値以下となった場合に、光源保持部を円周方向に回転させて点灯する光源を切替える。
【００１３】
光源ユニットは、光測定部で測定した光量が、予め定めた閾値以下となった場合に、点灯する光源を切替えるので、安定して映像を表示することができる。
【００１４】
好ましくは、光源ユニットが、投写型映像表示装置の筐体から取外し可能である。
光源ユニットが、投写型映像表示装置の筐体から取外し可能であるので、光源の交換を光源ユニット単位で行なうことができ、光源を交換する作業の負担を軽減することができる。
【００１５】
好ましくは、光源ユニットの１つの光源の光軸が、映像生成部に入射する光の光軸と一致するように光源ユニットを配置してある。
【００１６】
光源ユニットは、別の光源の光軸が、映像生成部に入射する光の光軸と一致する位置まで光源保持部を回転させることで、光源を交換することができる。
【００１７】
好ましくは、光源保持部の中心軸が、映像生成部に入射する光の光軸と一致するように光源ユニットを配置してあり、複数の光源のうち少なくとも１つの光源から、光源保持部の中心軸の方向に光を導く光学手段をさらに備える。
【００１８】
投写型映像表示装置は、光源保持部の中心軸が、映像生成部に入射する光の光軸と一致し、複数の光源のうち少なくとも１つの光源から、光源保持部の中心軸の方向に光を導く光学手段をさらに備えることで、複数の光源からの光を映像生成部に入射することが可能となる。
【発明の効果】
【００１９】
本発明に係る投写型映像表示装置は、円筒形の光源保持部が円周方向に対して回転可能に保持されているので、装置を大型化することなく複数の光源を切替えることでき、装置から光源を交換するサイクルをより長くすることができる。また、本発明に係る投写型映像表示装置は、すべての光源の光軸と、映像生成部に入射する光の光軸とを平行にすることができるので、高い位置精度の機構が不要となる。
【図面の簡単な説明】
【００２０】
【図１】本発明の実施の形態１に係る投写型映像表示装置の外観構成を示す外観図である。
【図２】本発明の実施の形態１に係る光源ユニットの構成を示す平面図である。
【図３】本発明の実施の形態１に係る投写型映像表示装置の構成を示す概略図である。
【図４】本発明の実施の形態２に係る投写型映像表示装置の光源保持部を回転させる機能を説明するための機能ブロック図である。
【図５】本発明の実施の形態３に係る投写型映像表示装置の構成を示す概略図である。
【発明を実施するための形態】
【００２１】
以下、本発明の実施の形態について、図面を参照しながら詳細に説明する。なお、図中の同一または相当する部分には同一符号を付してその説明は繰返さない。
【００２２】
（実施の形態１）
図１は、本発明の実施の形態１に係る投写型映像表示装置の外観構成を示す外観図である。
【００２３】
図１に示す投写型映像表示装置１００は、液晶パネルなどの光変調素子で透過または反射させて映像を生成し、生成した映像を投写レンズ３で投写面であるスクリーンに投写して表示している。なお、光変調素子は、液晶パネルに限定されず、ＤＭＤ（Degital  Micromirror  Device）素子などであってもよい。また、投写面は、スクリーンに限定されず、壁面であってもよい。
【００２４】
投写型映像表示装置１００は、筐体２の図中前面に投写レンズ３が取付けられ、筐体２の図中右側面に光源ユニット１０が取付けられている。光源ユニット１０は、複数の光源１０ａ、光源１０ａを保持する光源保持部１０ｂを含んでいる。ここで、光源１０ａは、高圧水銀ランプやキセノンランプなどランプ光源に限らず、ＬＥＤやＬＤ（Laser  Diode）を用いた固体光源であってもよい。
【００２５】
光源保持部１０ｂは、形状が円筒形で８個の光源１０ａを保持し、円筒形の円周方向に対して回転可能に筐体２に保持されている。つまり、光源保持部１０ｂは、中心軸１０ｃが筐体２の水平方向に保持され、当該中心軸１０ｃを中心に回転させることができる。
【００２６】
光源ユニット１０は、通常、蓋部２ａに覆われているが、光源を交換する際に蓋部２ａを開け露出させる。光源の交換は、光源保持部１０ｂに保持されたそれぞれの光源１０ａを１個ずつ交換してもよいが、光源ユニット１０を筐体２から取外し可能にしておき、光源ユニット１０を交換の単位としてもよい。なお、光源ユニット１０を交換の単位とする方が、光源１０ａを１個ずつ交換する場合に比べて、使用者の交換作業の負担を軽減することができる。
【００２７】
図２は、本発明の実施の形態１に係る光源ユニット１０の構成を示す平面図である。光源ユニット１０は、図２（ａ）に示すように８個の仕切られた光源保持部１０ｂのそれぞれの領域に光源１０ａを保持してある。また、それぞれの光源１０ａは、光源保持部１０ｂの中心軸１０ｃから等距離で、かつそれぞれの光源１０ａの光軸が中心軸１０ｃに平行となるように光源保持部１０ｂに保持されている。
【００２８】
なお、図２（ａ）に示す光源ユニット１０では、光源保持部１０ｂに８個の光源１０ａを保持しているが、本発明はこれに限定されるものではなく、光源１０ａや光源保持部１０ｂの大きさなどを考慮して、光源保持部１０ｂに保持する光源１０ａの個数を決めればよい。たとえば、図２（ｂ）に示す光源ユニット１０では、光源保持部１０ｂが６個の領域に分けられ、それぞれの領域に光源１０ａを保持してある。つまり、図２（ｂ）に示す光源ユニット１０では、光源保持部１０ｂに６個の光源１０ａを保持している。
【００２９】
図３は、本発明の実施の形態１に係る投写型映像表示装置１００の構成を示す概略図である。図３に示す投写型映像表示装置１００は、光源ユニット１０、映像を生成する映像生成部４と、映像を投写面に投写する投写レンズ３（投写部）とを備えている。さらに、投写型映像表示装置１００は、光源ユニット１０から出射した光を映像生成部４に導く光学系５を備えている。
【００３０】
光源ユニット１０は、複数の光源１０ａ、光源保持部１０ｂを備え、中心軸１０ｃを中心に光源保持部１０ｂを回転することが可能である。
【００３１】
光学系５は、フライアイインテグレータ１１、ＰＢＳ（偏光ビームスプリッタ）アレイ１２、コンデンサレンズ１３を備えている。フライアイインテグレータ１１は、蝿の目状のレンズ群からなるフライアイレンズを備え、光源ユニット１０から入射された光の光量分布を均一化して、ＰＢＳアレイ１２に入射する。
【００３２】
ＰＢＳアレイ１２は、複数のＰＢＳと１／２波長板とがアレイ状に配列されたものであり、フライアイインテグレータ１１から入射された光の偏光方向を１方向に揃える。コンデンサレンズ１３は、ＰＢＳアレイ１２から入射された光を集光し、映像生成部４に入射する。
【００３３】
映像生成部４は、ダイクロイックミラー１４，２１、ミラー１５，２８，３０、コンデンサレンズ１６，２２，２６、入射側偏光板１７，２３，３２、液晶パネル１８，２４，３３、出射側偏光板１９，２５，３４、ダイクロイックプリズム２０、リレーレンズ２７，２９，３１を備えている。
【００３４】
ダイクロイックミラー１４は、コンデンサレンズ１３から入射された光のうち、青色波長帯の光（以下、「Ｂ光」という）のみを透過し、赤色波長帯の光（以下、「Ｒ光」という）および緑色波長帯の光（以下、「Ｇ光」という）を反射する。ダイクロイックミラー１４を透過したＢ光は、ミラー１５に導かれ、そこで反射され、コンデンサレンズ１６に入射される。
【００３５】
コンデンサレンズ１６は、Ｂ光がほぼ平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム２０に入射される。
【００３６】
ダイクロイックミラー１４によって反射された光のうちＧ光は、ダイクロイックミラー２１によって反射され、コンデンサレンズ２２に入射される。コンデンサレンズ２２は、Ｇ光がほぼ平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００３７】
ダイクロイックミラー２１を透過したＲ光は、コンデンサレンズ２６に入射される。コンデンサレンズ２６は、Ｒ光がほぼ平行光で液晶パネル３３に入射するよう、Ｒ光に光学作用を付与する。コンデンサレンズ２６を透過したＲ光は、光路長調整用のリレーレンズ２７，２９，３１と２つのミラー２８，３０とからなる光路を進み、入射側偏光板３２を介して液晶パネル３３に入射される。液晶パネル３３は、赤色用の映像信号に応じて駆動され、その駆動情報に応じてＲ光を変調する。液晶パネル３３によって変調されたＲ光は、出射側偏光板３４を介して、ダイクロイックプリズム２０に入射される。
【００３８】
ダイクロイックプリズム２０は、液晶パネル１８，２４，３３によって変調されたＢ光、Ｇ光およびＲ光を色合成し、投写レンズ３へと入射させる。
【００３９】
投写レンズ３は、投写光を投写面（スクリーン）上に結像させるためのレンズ群と、これらレンズ群の一部を光軸方向に変位させて投写画像のズーム状態およびフォーカス状態を調整するためのアクチュエータを備えている。投写レンズ３は、ダイクロイックプリズム２０によって色合成された光を投写面上に拡大して投写する。
【００４０】
さらに、本発明の実施の形態１に係る投写型映像表示装置１００では、光源ユニット１０の１つの光源１０ａの光軸１０ｄが、映像生成部４に入射する光の光軸４ａと一致するように光源ユニット１０を配置してある。光源保持部１０ｂに保持した光源１０ａの光軸１０ｄは、光源保持部１０ｂの中心軸１０ｃに対して平行であるので、光源保持部１０ｂの中心軸１０ｃを映像生成部４に入射する光の光軸４ａに対して平行にするだけで、すべての光源１０ａの光軸１０ｄと、映像生成部４に入射する光の光軸４ａとを平行にすることができる。
【００４１】
また、光源保持部１０ｂに保持した光源１０ａは、光源保持部１０ｂの中心軸１０ｃから等距離にあるため、光源ユニット１０の１つの光源１０ａの光軸１０ｄが、映像生成部４に入射する光の光軸４ａと一致すれば、光源保持部１０ｂを回転させて別の光源１０ａに交換しても、別の光源１０ａの光軸１０ｄが、映像生成部４に入射する光の光軸４ａと一致する。
【００４２】
以上のように、本発明の実施の形態１に係る投写型映像表示装置１００では、円筒形の光源保持部１０ｂが円周方向に対して回転可能に保持されているので、装置を大型化することなく複数の光源１０ａを切替えることでき、装置から光源１０ａを交換するサイクルをより長くすることができる。また、それぞれの光源１０ａの光軸１０ｄが光源保持部１０ｂの中心軸１０ｃに対して平行であるので、光源保持部１０ｂの中心軸１０ｃを映像生成部４に入射する光の光軸４ａに対して平行にするだけで、すべての光源１０ａの光軸１０ｄと、映像生成部４に入射する光の光軸４ａとを平行にすることができる。そのため、光源保持部１０ｂは、光軸１０ｄに対して垂直の面内で光源１０ａを移動させることができればよく、高い位置精度の機構が不要となる。
【００４３】
また、光源ユニット１０は、別の光源１０ａの光軸１０ｄが、映像生成部４に入射する光の光軸４ａと一致する位置まで光源保持部１０ｂを回転させることで、光源１０ａを交換することができ、使用者が投写型映像表示装置１００から光源１０ａを取外したり、取付けたりする作業が不要となる。
【００４４】
なお、本発明の実施の形態１に係る投写型映像表示装置１００では、液晶パネル１８，２４，３３に光源１０ａからの光を透過させて変調し、映像を生成する場合について説明したが、本発明はこれに限定されるものではなく、液晶パネル１８，２４，３３に光源１０ａからの光を反射させて変調し、映像を生成してもよい。
【００４５】
（実施の形態２）
本発明の実施の形態２では、光源保持部を回転させて光源を交換する投写型映像表示装置の機能について説明する。図４は、本発明の実施の形態２に係る投写型映像表示装置の光源保持部を回転させる機能を説明するための機能ブロック図である。図４に示す投写型映像表示装置１１０は、光源ユニット１０、映像生成部４、投写レンズ（投写部）３、光測定部６、駆動部７を備えている。
【００４６】
なお、投写型映像表示装置１１０は、図３に示す投写型映像表示装置１１０と同じ構成要素について同じ符号を付して詳細な説明を繰返さない。
【００４７】
光測定部６は、光源ユニット１０から出射した光量を測定する。具体的に、光測定部６は、たとえばフォトダイオードなどの光センサ６ａを有し、光センサ６ａで光源ユニット１０から映像生成部４へ出射した光の光量を測定する。
【００４８】
駆動部７は、光測定部６で測定した光量が、予め定めた閾値以下となった場合に、光源保持部１０ｂを円周方向に回転させて点灯する光源１０ａを切替え、光源１０ａを交換する。具体的に、駆動部７は、光測定部６で測定した光量が、予め定めた閾値以下となった場合に光測定部６から出力される制御信号に基づき、光源保持部１０ｂを円周方向に回転させるモータを駆動する。なお、光測定部６で測定した光量が、予め定めた閾値以下となった場合には、光源１０ａの輝度が低下した場合だけでなく、光源１０ａが切れた場合も含まれる。
【００４９】
以上のように、本発明の実施の形態２に係る投写型映像表示装置１１０は、光測定部６で測定した光量が、予め定めた閾値以下となった場合に、点灯する光源１０ａを切替え、光源１０ａを交換することで、安定して映像を表示することができる。
【００５０】
なお、本発明の実施の形態２に係る投写型映像表示装置１１０では、光測定部６で測定した光量が、予め定めた閾値以下となった場合に、駆動部７が、光源保持部１０ｂを円周方向に回転させて点灯する光源１０ａを自動で切替える機能を有する場合について説明したが、本発明はこれに限定されるものではない。たとえば、光測定部６で測定した光量が、予め定めた閾値以下となった場合、投写型映像表示装置１１０に設けた表示部または投写面に表示する映像に、光源１０ａの交換を促す表示を行ない、使用者が駆動部７を操作して、光源保持部１０ｂを円周方向に回転させて点灯する光源１０ａを切替え、光源１０ａを交換してもよい。
【００５１】
さらに、投写型映像表示装置１１０は、駆動部７を設けず、光測定部６で測定した光量が、予め定めた閾値以下となった場合、使用者が直接、光源保持部１０ｂを円周方向に回転させて点灯する光源１０ａを切替え、光源１０ａを交換してもよい。
【００５２】
（実施の形態３）
本発明の実施の形態３では、光源保持部の中心軸が、映像生成部に入射する光の光軸と一致させた投写型映像表示装置の構成について説明する。図５は、本発明の実施の形態３に係る投写型映像表示装置の構成を示す概略図である。図５に示す投写型映像表示装置１２０は、光源ユニット１０、映像を生成する映像生成部４と、映像を投写面に投写する投写レンズ３（投写部）とを備えている。さらに、投写型映像表示装置１００は、光源ユニット１０から出射した光を映像生成部４に導く光学系５を備えている。
【００５３】
なお、投写型映像表示装置１２０は、光源ユニット１０の構成が異なる以外、図５に示す投写型映像表示装置１１０と同じ構成であり、同じ構成要素について同じ符号を付して詳細な説明を繰返さない。
【００５４】
光源ユニット１０は、複数の光源１０ａ、光源保持部１０ｂ、２個のミラー４０、プリズム４１を備え、中心軸１０ｃを中心に光源保持部１０ｂを回転することが可能である。さらに、光源保持部１０ｂの中心軸１０ｃが、映像生成部４に入射する光の光軸４ａと一致するように光源ユニット１０を配置してある。光源保持部１０ｂに保持した光源１０ａの光軸１０ｄは、光源保持部１０ｂの中心軸１０ｃに対して平行であるので、光源保持部１０ｂの中心軸１０ｃを映像生成部４に入射する光の光軸４ａに対して平行にするだけで、すべての光源１０ａの光軸１０ｄと、映像生成部４に入射する光の光軸４ａとを平行にすることができる。
【００５５】
また、光源ユニット１０は、水平方向に配置した２つの光源１０ａのそれぞれに対してミラー４０が配置され、それぞれの光源１０ａから出射した光が反射され、プリズム４１に入射される。プリズム４１は、それぞれのミラー４０で反射された光を合成し、光学系５に出射する。ここで、ミラー４０およびプリズム４１は、光源１０ａから、光源保持部１０ｂの中心軸１０ｃの方向に光を導く光学手段となる。
【００５６】
さらに、光源保持部１０ｂに保持した光源１０ａは、光源保持部１０ｂの中心軸１０ｃから等距離にあるため、光源保持部１０ｂを回転させて別の光源１０ａをミラー４０と対向する位置に移動させることで、光源保持部１０ｂの中心軸１０ｃの方向に光を導くことができ、別の光源１０ａに交換することができる。
【００５７】
以上のように、本発明の実施の形態３に係る投写型映像表示装置１２０では、光源保持部１０ｂの中心軸１０ｃが、映像生成部４に入射する光の光軸４ａと一致し、２つの光源１０ａから、光源保持部１０ｂの中心軸の方向に光を導くミラー４０およびプリズム４１をさらに備えることで、２つの光源１０ａからの光を映像生成部４に入射することが可能となる。
【００５８】
なお、本発明の実施の形態３に係る投写型映像表示装置１２０は、２つの光源１０ａからの光を映像生成部４に入射する構成に限定されるものではなく、複数の光源１０ａのうち少なくとも１つ光源１０ａから、光源保持部１０ｂの中心軸の方向に光を導く光学手段（ミラー４０およびプリズム４１）をさらに備え、複数の光源１０ａのうち少なくとも１つ光源１０ａからの光を映像生成部４に入射する構成でもよい。
【００５９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６０】
２  筐体、２ａ  蓋部、３  投写レンズ、４  映像生成部、４ａ，１０ｄ  光軸、５  光学系、６  光測定部、６ａ  光センサ、７  駆動部、１０  光源ユニット、１０ａ  光源、１０ｂ  光源保持部、１０ｃ  中心軸、１１  フライアイインテグレータ、１２  アレイ、１３，１６，２２，２６  コンデンサレンズ、１４，２１  ダイクロイックミラー、１５，２８，３０，４０  ミラー、１７，２３，３２  入射側偏光板、１８，２４，３３  液晶パネル、１９，２５，３４  出射側偏光板、２０  ダイクロイックプリズム、２７，２９，３１  リレーレンズ、４１  プリズム、１００，１１０，１２０  投写型映像表示装置。
【図１】
2013068871.tif 000003
【図２】
2013068871.tif 000004
【図３】
2013068871.tif 000005
【図４】
2013068871.tif 000006
【図５】
2013068871.tif 000007